(57)【要約】　　　（修正有）【課題】他の電話装置へ無線子機が移動している場合でも、所属電話装置で生じた個別サービスを移動先で知ることができるようにする。【解決手段】各電話装置１間を相互に接続する接続回線５を介して他の電話装置１との間で各種情報をやり取りするシステム制御手段を設け、このシステム制御手段で、他の電話装置に所属する無線子機から所属ＩＤと端末ＩＤとを取得し、その所属ＩＤに対応する所属電話装置からその端末ＩＤに対応する端末情報を接続回線５を介して取得する。また、接続回線５に情報蓄積装置を接続し、この情報蓄積装置を介して各電話装置１間で端末情報をやり取りする。【選択図】　　　　図１
2004096211.tif 000002
【特許請求の範囲】
【請求項１】
通信回線を介して通信網と接続されるとともに、無線回線を介して１つ以上の無線子機を制御する電話装置を複数備え、前記無線子機は前記電話装置のいずれか１つに予め所属するとともに、移動に応じて前記電話装置のいずれか１つから無線回線を介して制御を受け、前記電話装置は当該電話装置の制御下にある無線子機に対して各種通信サービスを提供する電話システムであって、
前記各電話装置間を接続する接続回線をさらに備え、
前記各電話装置のうち、前記各無線子機のいずれかが所属する所属電話装置は、
自装置に所属する無線子機の制御に用いる端末情報を当該無線子機に固有の端末ＩＤと対応付けて格納する記憶手段と、前記接続回線を介して他の電話装置から通知された端末ＩＤに対応する端末情報を前記記憶手段から取得して返送するシステム制御手段とを有し、
前記各電話装置のうち、前記無線子機が移動した先で無線回線を介して制御を受ける移動先電話装置は、
他の電話装置に所属する前記無線子機から、当該無線子機の所属電話装置を示す所属ＩＤと当該無線子機に固有の端末ＩＤとを取得し、その所属ＩＤに対応する所属電話装置へ前記接続回線を介して前記端末ＩＤを通知し、これに応じて前記所属電話装置から返送された当該無線子機の端末ＩＤに対応する端末情報を、前記接続回線を介して取得するシステム制御手段を有することを特徴とする電話システム。
【請求項２】
通信回線を介して通信網と接続されるとともに、無線回線を介して１つ以上の無線子機を制御する電話装置を複数備え、前記無線子機は前記電話装置のいずれか１つに予め所属するとともに、移動に応じて前記電話装置のいずれか１つから無線回線を介して制御を受け、前記電話装置は当該電話装置の制御下にある無線子機に対して各種通信サービスを提供する電話システムであって、
前記各電話装置間を接続する接続回線をさらに備え、
前記各電話装置のうち、前記各無線子機のいずれかが所属する所属電話装置は、
自装置に所属する無線子機の制御に用いる端末情報を当該無線子機に固有の端末ＩＤと対応付けて格納する記憶手段と、前記接続回線を介して他の電話装置から通知された端末ＩＤに対応する端末情報を前記記憶手段から取得して返送するシステム制御手段とを有し、
前記各電話装置のうち、前記無線子機が移動した先で無線回線を介して制御を受ける移動先電話装置は、
他の電話装置に所属する前記無線子機から当該無線子機に固有の端末ＩＤを取得し、前記接続回線を介して前記他の電話装置のそれぞれへ前記端末ＩＤを通知し、これに応じて前記無線子機の所属電話装置から返送された当該無線子機の端末ＩＤに対応する端末情報を、前記接続回線を介して取得するシステム制御手段を有することを特徴とする電話システム。
【請求項３】
通信回線を介して通信網と接続されるとともに、無線回線を介して１つ以上の無線子機を制御する電話装置を複数備え、前記無線子機は前記電話装置のいずれか１つに予め所属するとともに、移動に応じて前記電話装置のいずれか１つから無線回線を介して制御を受け、前記電話装置は当該電話装置の制御下にある無線子機に対して各種通信サービスを提供する電話システムであって、
前記各電話装置と接続回線を介して接続されて、前記各電話装置間でやり取りする各種情報を蓄積する情報蓄積装置をさらに備え、
前記各電話装置のうち、前記各無線子機のいずれかが所属する所属電話装置は、
自装置に所属する無線子機の制御に用いる端末情報を当該無線子機に固有の端末ＩＤと対応付けて前記接続回線を介して前記情報蓄積装置へ登録するシステム制御手段を有し、
前記各電話装置のうち、前記無線子機が移動した先で無線回線を介して制御を受ける移動先電話装置は、
他の電話装置に所属する前記無線子機から当該無線子機に固有の端末ＩＤを取得し、その端末ＩＤに対応付けて登録されている端末情報を、前記情報蓄積装置から前記接続回線を介して取得するシステム制御手段を有することを特徴とする電話システム。
【請求項４】
通信回線を介して通信網と接続される主装置と、この主装置に無線回線を介して制御される１つ以上の無線子機とからなるボタン電話装置を複数備え、前記無線子機は、前記ボタン電話装置のいずれか１つに予め所属するとともに、移動に応じて前記各ボタン電話装置のいずれか１つから無線回線を介して制御を受け、前記各ボタン電話装置は当該ボタン電話装置の制御下にある無線子機に対して各種通信サービスを提供する電話システムで用いられるボタン話装置であって、
前記主装置に、前記各ボタン電話装置間を相互に接続する接続回線を介して他のボタン電話装置との間で各種情報をやり取りするシステム制御手段を備え、
このシステム制御手段は、他の電話装置に所属する前記無線子機から、当該無線子機の所属電話装置を示す所属ＩＤと当該無線子機に固有の端末ＩＤとを取得し、その所属ＩＤに対応する所属電話装置へ前記接続回線を介して前記端末ＩＤを通知し、これに応じて前記所属電話装置から返送された当該無線子機の端末ＩＤに対応する端末情報を、前記接続回線を介して取得することを特徴とするボタン電話装置。
【請求項５】
通信回線を介して通信網と接続される主装置と、この主装置に無線回線を介して制御される１つ以上の無線子機とからなるボタン電話装置を複数備え、前記無線子機は、前記ボタン電話装置のいずれか１つに予め所属するとともに、移動に応じて前記各ボタン電話装置のいずれか１つから無線回線を介して制御を受け、前記各ボタン電話装置は当該ボタン電話装置の制御下にある無線子機に対して各種通信サービスを提供する電話システムで用いられるボタン話装置であって、
前記主装置に、前記各ボタン電話装置間を相互に接続する接続回線を介して他のボタン電話装置との間で各種情報をやり取りするシステム制御手段を備え、
このシステム制御手段は、他の電話装置に所属する前記無線子機から当該無線子機に固有の端末ＩＤを取得し、前記接続回線を介して前記他の電話装置のそれぞれへ前記端末ＩＤを通知し、これに応じて前記無線子機の所属電話装置から返送された当該無線子機の端末ＩＤに対応する端末情報を、前記接続回線を介して取得することを特徴とするボタン電話装置。
【請求項６】
通信回線を介して通信網と接続される主装置と、この主装置に無線回線を介して制御される１つ以上の無線子機とからなるボタン電話装置を複数備え、前記無線子機は、前記ボタン電話装置のいずれか１つに予め所属するとともに、移動に応じて前記各ボタン電話装置のいずれか１つから無線回線を介して制御を受け、前記各ボタン電話装置は当該ボタン電話装置の制御下にある無線子機に対して各種通信サービスを提供する電話システムで用いられるボタン話装置であって、
前記主装置に、前記各ボタン電話装置と接続回線により接続された情報蓄積装置を介して他のボタン電話装置との間で各種情報をやり取りするシステム制御手段を備え、
このシステム制御手段は、他の電話装置に所属する前記無線子機から当該無線子機に固有の端末ＩＤを取得し、前記無線子機が所属する所属電話制御装置により前記情報蓄積装置へ前記端末ＩＤに対応付けて登録されている端末情報を、前記情報蓄積装置から前記接続回線を介して取得することを特徴とするボタン電話装置。
【請求項７】
請求項５または６記載のボタン電話装置において、
前記システム制御手段は、前記無線子機に対応する端末情報の取得成功に応じて、当該無線子機が当該電話システムで使用可能な無線子機であると判断することを特徴とするボタン電話装置。
【請求項８】
通信回線を介して通信網と接続されるとともに、無線回線を介して１つ以上の無線子機を制御する電話制御装置を複数備え、前記無線子機は前記電話制御装置のいずれか１つに予め所属するとともに、移動に応じて前記電話制御装置のいずれか１つから無線回線を介して制御を受け、前記電話制御装置は当該電話制御装置の制御下にある無線子機に対して各種通信サービスを提供する電話システムで用いられる電話制御装置のコンピュータで、
他の電話制御装置に所属する前記無線子機から、当該無線子機の所属電話制御装置を示す所属ＩＤと当該無線子機に固有の端末ＩＤとを取得するステップと、取得した所属ＩＤに対応する所属電話制御装置へ前記各電話制御装置間を相互に接続する接続回線を介して前記端末ＩＤを通知するステップと、
この通知に応じて前記所属電話制御装置から返送された当該無線子機の端末ＩＤに対応する端末情報を、前記接続回線を介して取得するステップとを実行させるためのプログラム。
【請求項９】
通信回線を介して通信網と接続されるとともに、無線回線を介して１つ以上の無線子機を制御する電話制御装置を複数備え、前記無線子機は前記電話制御装置のいずれか１つに予め所属するとともに、移動に応じて前記電話制御装置のいずれか１つから無線回線を介して制御を受け、前記電話制御装置は当該電話制御装置の制御下にある無線子機に対して各種通信サービスを提供する電話システムで用いられる電話制御装置のコンピュータで、
他の電話制御装置に所属する前記無線子機から当該無線子機に固有の端末ＩＤを取得するステップと、
前記各電話制御装置間を相互に接続する接続回線を介して前記他の電話制御装置のそれぞれへ前記端末ＩＤを通知するステップと、
この通知に応じて前記無線子機の所属電話制御装置から返送された当該無線子機の端末ＩＤに対応する端末情報を、前記接続回線を介して取得するステップとを実行させるためのプログラム。
【請求項１０】
通信回線を介して通信網と接続されるとともに、無線回線を介して１つ以上の無線子機を制御する電話制御装置を複数備え、前記無線子機は前記電話制御装置のいずれか１つに予め所属するとともに、移動に応じて前記電話制御装置のいずれか１つから無線回線を介して制御を受け、前記電話制御装置は当該電話制御装置の制御下にある無線子機に対して各種通信サービスを提供する電話システムで用いられる電話制御装置のコンピュータで、
他の電話制御装置に所属する前記無線子機から当該無線子機に固有の端末ＩＤを取得するステップと、
前記各電話制御装置と接続回線により接続された情報蓄積装置から、前記無線子機が所属する所属電話制御装置により前記情報蓄積装置へ前記端末ＩＤに対応付けて登録されている端末情報を、前記接続回線を介して取得するステップとを実行させるためのプログラム。
【発明の詳細な説明】
【０００１】
【発明の属する技術分野】
本発明は、電話システム、ボタン電話装置およびプログラムに関し、特に複数の電話装置で共通の無線子機に対して通信サービスを提供する電話システム、ボタン電話装置およびプログラムに関するものである。
【０００２】
【従来の技術】
従来、電話システムとして、無線回線を介して電話装置（ボタン電話装置）に子機として収容している無線子機（無線電話機）を、移動先の他の電話装置でも利用可能とするため、各電話装置との無線通信に必要な認証用のＩＤを無線子機で使い分けることにより、複数の移動先で通信サービスを受けられるようにしたものが提案されている（例えば、特開平８−１９５９７９号公報など参照）。
【０００３】
このシステムで用いられる電話装置では、電話制御装置（主装置）に無線親機を接続することにより、この無線親機から無線回線を介して無線子機を制御するものとなっている。このような接続方式では、無線子機の接続可否を判断するため、認証に用いる固有のＩＤを予め無線親機および無線子機の双方にそれぞれ設定し、そのＩＤを用いて接続可否を判断している。したがって、移動先のＩＤを無線子機に予め登録しておき、これらを使い分けることにより、移動先として複数の無線親機で共通して無線子機と接続できることになる。
【０００４】
【発明が解決しようとする課題】
しかしながら、このような従来の電話システムでは、複数の電話装置で共通して無線子機が使用できるものの、当該無線子機が移動先の電話装置の制御下にある場合には、その無線子機が元の所属電話装置で受けていたサービスに用いる端末情報が移動先電話装置に設定されておらず、元の所属電話装置におけるサービスと同等のサービスを移動先電話装置で受けることができないことから、利用者にとって使い勝手が著しく損なわれ、同一無線子機を複数の電話装置で使用できるという機能を有効に利用できないという問題点があった。
【０００５】
なお、各電話装置で同等のサービスを受けるために、移動先電話装置でも所属電話装置と同じ端末情報を予め手作業で設定しておく方法も考えられる。しかし、一般には、移動先電話装置さらには無線子機が多数あり、またその端末情報の内容も変更されることから、管理者や利用者が各移動先電話装置ごとに設定しなければならず、多大な作業負担となる。
本発明はこのような課題を解決するためのものであり、無線子機が移動して他の電話装置の制御下にある場合でも、所属電話装置の制御下と同等のサービスを受けることができる電話システム、ボタン電話装置およびプログラムを提供することを目的としている。
【０００６】
【課題を解決するための手段】
このような目的を達成するために、本発明にかかる電話システムは、通信回線を介して通信網と接続されるとともに、無線回線を介して１つ以上の無線子機を制御する電話装置を複数備え、無線子機は電話装置のいずれか１つに予め所属するとともに、移動に応じて電話装置のいずれか１つから無線回線を介して制御を受け、電話装置は当該電話装置の制御下にある無線子機に対して各種通信サービスを提供する電話システムであって、各電話装置間を接続する接続回線をさらに備えるものである。
そして、各電話装置のうち、各無線子機のいずれかが所属する所属電話装置は、自装置に所属する無線子機の制御に用いる端末情報を当該無線子機に固有の端末ＩＤと対応付けて格納する記憶手段と、接続回線を介して他の電話装置から通知された端末ＩＤに対応する端末情報を記憶手段から取得して返送するシステム制御手段とを有し、各電話装置のうち、無線子機が移動した先で無線回線を介して制御を受ける移動先電話装置は、他の電話装置に所属する無線子機から、当該無線子機の所属電話装置を示す所属ＩＤと当該無線子機に固有の端末ＩＤとを取得し、その所属ＩＤに対応する所属電話装置へ接続回線を介して端末ＩＤを通知し、これに応じて所属電話装置から返送された当該無線子機の端末ＩＤに対応する端末情報を、接続回線を介して取得するシステム制御手段を有するものである。
【０００７】
また、本発明にかかる他の電話システムは、通信回線を介して通信網と接続されるとともに、無線回線を介して１つ以上の無線子機を制御する電話装置を複数備え、無線子機は電話装置のいずれか１つに予め所属するとともに、移動に応じて電話装置のいずれか１つから無線回線を介して制御を受け、電話装置は当該電話装置の制御下にある無線子機に対して各種通信サービスを提供する電話システムであって、各電話装置間を接続する接続回線をさらに備えるものである。
そして、各電話装置のうち、各無線子機のいずれかが所属する所属電話装置は、自装置に所属する無線子機の制御に用いる端末情報を当該無線子機に固有の端末ＩＤと対応付けて格納する記憶手段と、接続回線を介して他の電話装置から通知された端末ＩＤに対応する端末情報を記憶手段から取得して返送するシステム制御手段とを有し、各電話装置のうち、無線子機が移動した先で無線回線を介して制御を受ける移動先電話装置は、他の電話装置に所属する無線子機から当該無線子機に固有の端末ＩＤを取得し、接続回線を介して他の電話装置のそれぞれへ端末ＩＤを通知し、これに応じて無線子機の所属電話装置から返送された当該無線子機の端末ＩＤに対応する端末情報を、接続回線を介して取得するシステム制御手段を有するものである。
【０００８】
また、本発明にかかる他の電話システムは、通信回線を介して通信網と接続されるとともに、無線回線を介して１つ以上の無線子機を制御する電話装置を複数備え、無線子機は電話装置のいずれか１つに予め所属するとともに、移動に応じて電話装置のいずれか１つから無線回線を介して制御を受け、電話装置は当該電話装置の制御下にある無線子機に対して各種通信サービスを提供する電話システムであって、各電話装置と接続回線を介して接続されて、各電話装置間でやり取りする各種情報を蓄積する情報蓄積装置をさらに備えるものである。
そして、各電話装置のうち、各無線子機のいずれかが所属する所属電話装置は、自装置に所属する無線子機の制御に用いる端末情報を当該無線子機に固有の端末ＩＤと対応付けて接続回線を介して情報蓄積装置へ登録するシステム制御手段を有し、各電話装置のうち、無線子機が移動した先で無線回線を介して制御を受ける移動先電話装置は、他の電話装置に所属する無線子機から当該無線子機に固有の端末ＩＤを取得し、その端末ＩＤに対応付けて登録されている端末情報を、情報蓄積装置から接続回線を介して取得するシステム制御手段を有するものである。
【０００９】
また、本発明にかかるボタン電話装置は、通信回線を介して通信網と接続される主装置と、この主装置に無線回線を介して制御される１つ以上の無線子機とからなるボタン電話装置を複数備え、無線子機は、ボタン電話装置のいずれか１つに予め所属するとともに、移動に応じて各ボタン電話装置のいずれか１つから無線回線を介して制御を受け、各ボタン電話装置は当該ボタン電話装置の制御下にある無線子機に対して各種通信サービスを提供する電話システムで用いられるボタン話装置であって、主装置に、各ボタン電話装置間を相互に接続する接続回線を介して他のボタン電話装置との間で各種情報をやり取りするシステム制御手段を備え、このシステム制御手段で、他の電話装置に所属する無線子機から、当該無線子機の所属電話装置を示す所属ＩＤと当該無線子機に固有の端末ＩＤとを取得し、その所属ＩＤに対応する所属電話装置へ接続回線を介して端末ＩＤを通知し、これに応じて所属電話装置から返送された当該無線子機の端末ＩＤに対応する端末情報を、接続回線を介して取得するようにしたものである。
【００１０】
また、本発明にかかる他のボタン電話装置は、通信回線を介して通信網と接続される主装置と、この主装置に無線回線を介して制御される１つ以上の無線子機とからなるボタン電話装置を複数備え、無線子機は、ボタン電話装置のいずれか１つに予め所属するとともに、移動に応じて各ボタン電話装置のいずれか１つから無線回線を介して制御を受け、各ボタン電話装置は当該ボタン電話装置の制御下にある無線子機に対して各種通信サービスを提供する電話システムで用いられるボタン話装置であって、主装置に、各ボタン電話装置間を相互に接続する接続回線を介して他のボタン電話装置との間で各種情報をやり取りするシステム制御手段を備え、このシステム制御手段で、他の電話装置に所属する無線子機から当該無線子機に固有の端末ＩＤを取得し、接続回線を介して他の電話装置のそれぞれへ端末ＩＤを通知し、これに応じて無線子機の所属電話装置から返送された当該無線子機の端末ＩＤに対応する端末情報を、接続回線を介して取得するようにしたものである。
【００１１】
また、本発明にかかる他のボタン電話装置は、通信回線を介して通信網と接続される主装置と、この主装置に無線回線を介して制御される１つ以上の無線子機とからなるボタン電話装置を複数備え、無線子機は、ボタン電話装置のいずれか１つに予め所属するとともに、移動に応じて各ボタン電話装置のいずれか１つから無線回線を介して制御を受け、各ボタン電話装置は当該ボタン電話装置の制御下にある無線子機に対して各種通信サービスを提供する電話システムで用いられるボタン話装置であって、主装置に、各ボタン電話装置と接続回線により接続された情報蓄積装置を介して他のボタン電話装置との間で各種情報をやり取りするシステム制御手段を備え、このシステム制御手段で、他の電話装置に所属する無線子機から当該無線子機に固有の端末ＩＤを取得し、無線子機が所属する所属電話制御装置により情報蓄積装置へ端末ＩＤに対応付けて登録されている端末情報を、情報蓄積装置から接続回線を介して取得するようにしたものである。
【００１２】
無線子機が当該電話システムで使用可能な無線子機であるかどうかを判断する際、システム制御手段で、無線子機に対応する端末情報の取得成功に応じて、当該無線子機が当該電話システムで使用可能な無線子機であると判断するようにしてもよい。
【００１３】
また、本発明にかかるプログラムは、通信回線を介して通信網と接続されるとともに、無線回線を介して１つ以上の無線子機を制御する電話制御装置を複数備え、無線子機は電話制御装置のいずれか１つに予め所属するとともに、移動に応じて電話制御装置のいずれか１つから無線回線を介して制御を受け、電話制御装置は当該電話制御装置の制御下にある無線子機に対して各種通信サービスを提供する電話システムで用いられる電話制御装置のコンピュータで、他の電話制御装置に所属する無線子機から、当該無線子機の所属電話制御装置を示す所属ＩＤと当該無線子機に固有の端末ＩＤとを取得するステップと、取得した所属ＩＤに対応する所属電話制御装置へ各電話制御装置間を相互に接続する接続回線を介して端末ＩＤを通知するステップと、この通知に応じて所属電話制御装置から返送された当該無線子機の端末ＩＤに対応する端末情報を、接続回線を介して取得するステップとを実行させるためのものである。
【００１４】
また、本発明にかかる他のプログラムは、通信回線を介して通信網と接続されるとともに、無線回線を介して１つ以上の無線子機を制御する電話制御装置を複数備え、無線子機は電話制御装置のいずれか１つに予め所属するとともに、移動に応じて電話制御装置のいずれか１つから無線回線を介して制御を受け、電話制御装置は当該電話制御装置の制御下にある無線子機に対して各種通信サービスを提供する電話システムで用いられる電話制御装置のコンピュータで、他の電話制御装置に所属する無線子機から当該無線子機に固有の端末ＩＤを取得するステップと、各電話制御装置間を相互に接続する接続回線を介して他の電話制御装置のそれぞれへ端末ＩＤを通知するステップと、この通知に応じて無線子機の所属電話制御装置から返送された当該無線子機の端末ＩＤに対応する端末情報を、接続回線を介して取得するステップとを実行させるためのものである。
【００１５】
また、本発明にかかる他のプログラムは、通信回線を介して通信網と接続されるとともに、無線回線を介して１つ以上の無線子機を制御する電話制御装置を複数備え、無線子機は電話制御装置のいずれか１つに予め所属するとともに、移動に応じて電話制御装置のいずれか１つから無線回線を介して制御を受け、電話制御装置は当該電話制御装置の制御下にある無線子機に対して各種通信サービスを提供する電話システムで用いられる電話制御装置のコンピュータで、他の電話制御装置に所属する無線子機から当該無線子機に固有の端末ＩＤを取得するステップと、各電話制御装置と接続回線により接続された情報蓄積装置から、無線子機が所属する所属電話制御装置により情報蓄積装置へ端末ＩＤに対応付けて登録されている端末情報を、接続回線を介して取得するステップとを実行させるためのものである。
【００１６】
【発明の実施の形態】
次に、本発明の実施の形態について図面を参照して説明する。
図１は本発明の第１の実施の形態にかかる電話システムの構成を示すブロック図である。
この電話システムは、複数の電話装置１（１Ａ，１Ｂ，１Ｃ，…，１Ｎ）と、これら電話装置１を相互に接続する接続回線５とから構成されている。
各電話装置１（１Ａ，１Ｂ，１Ｃ，…，１Ｎ）は、それぞれボタン電話装置からなり、主装置（電話制御装置）１０、無線親機２０および無線子機３０から構成されている。各電話装置１Ａ，１Ｂ，１Ｃ，…，１Ｎは、接続回線５を介して相互に接続され、必要に応じて各種情報をやり取りする。
接続回線５は、各電話装置１間でのデータ通信を実現する回線であり、例えばインターネットなどのパケット通信回線のほか、専用回線、電話回線あるいはＩＳＤＮ回線などが用いられる。
【００１７】
主装置１０は、通信回線４を介して通信網４０と接続され、この通信網４０を介して相手先（図示せず）との間で通信を行うことにより、音声通話、電子メール、ボイスメールなどの通信サービスを、無線子機３０の利用者へ提供する装置である。また、主装置１０は、接続回線５を介して他の電話装置の主装置と相互に接続され、必要に応じて各種情報をやり取りする。
無線親機２０は、内線伝送路２を介して主装置１０と接続されるとともに、無線回線３を介して無線子機３０と通信することにより、主装置１０と無線子機３０との間でやり取りされる端末情報などの各種情報を相互に転送する。
【００１８】
無線子機３０は、無線回線３を介して無線親機２０と通信することにより主装置１０に制御され、主装置１０との間で各種情報をやり取りすることにより、上記通信サービスを当該無線子機３０の利用者に提供する。
各無線子機３０は、電話装置１Ａ，１Ｂ，１Ｃ，…，１Ｎのいずれかに所属しており、当該無線子機が所属する所属電話装置に固有の所属ＩＤが予め当該無線子機３０に登録されている。また、個別着信、電子メール、ボイスメールなど、その無線子機に対する個別の着呼は、その所属電話装置で受け付けられ、当該無線子機への個別サービスとして処理される。
【００１９】
また、無線子機３０には、当該電話システムすなわち各電話装置１Ａ，１Ｂ，１Ｃ，…，１Ｎに共通のシステム共通ＩＤが予め登録されており、移動先の電話装置でシステム共通ＩＤを用いて当該電話装置の主装置と認証登録処理を行い、その移動先の電話装置で所定の通信サービスを受けることができる。さらに、無線子機３０には、自子機を識別するための固有の端末ＩＤが登録されており、この端末ＩＤにより当該無線子機に対応する端末情報が検索される。
なお、無線子機が電話装置と接続されるという記載は、一般的には、無線子機が直接電話装置に接続されることを示すが、本実施の形態では、無線子機が無線親機を介してその電話装置の主装置と接続されてその制御下となることを簡略したものである。
【００２０】
図１では、理解を容易とするため、各電話装置１Ａ，１Ｂ，１Ｃ，…，１Ｎとして、無線親機２０および無線子機３０がそれぞれ１つずつ設けられた構成例が示されているがこれに限定されるものではない。
通常、各電話装置（ボタン電話装置）には、無線子機３０だけでなく内線伝送路２を介して無線親機２０と並列的に主装置１０に接続される内線子機（有線子機）が設けられており、また複数の無線子機、さらには複数の無線親機が設けられているものもある。このような構成にも同様にして本発明の各実施の形態を適用でき、同様の作用効果が得られる。
【００２１】
次に、図２を参照して、本実施の形態にかかる電話装置で用いられる主装置について説明する。図２は本実施の形態にかかる電話装置で用いられる主装置の構成を示すブロック図である。
この主装置１０には、回線インターフェース部（以下、回線Ｉ／Ｆ部という）１１、スイッチ１２、親機インターフェース部（以下、親機Ｉ／Ｆ部という）１３、制御部１４、および記憶部１５が設けられている。
【００２２】
回線Ｉ／Ｆ部１１は、通信回線４を介して通信網４０と接続されて、その通信網４０を介して接続された相手先（図示せず）との間の通信を実現するとともに、接続回線５を介して他の電話装置の主装置と接続され、端末情報などの各種情報の転送を、パケット通信などのデータ通信により実現する。
親機Ｉ／Ｆ部１３は、内線伝送路２を介して無線親機２０と接続され、その無線親機２０および無線回線３を介して接続された無線子機３０との間での各種情報の転送を実現する。
スイッチ１２は、回線Ｉ／Ｆ部１１と親機Ｉ／Ｆ部１３との間を中継交換接続することにより、通信回線４および通信網４０を介して接続された相手先と、無線親機２０および無線回線３を介して接続された無線子機３０との間での通信を実現する。
【００２３】
制御部１４は、ＣＰＵなどのマイクロプロセッサとその周辺回路からなり、記憶部１５に予め格納されているプログラムを読み込んで実行することにより、電話装置１全体を制御する。制御部１４には、上記ハードウェアとプログラムとが協働して実現される機能手段として、呼制御手段１４Ａとシステム制御手段１４Ｂとが設けられている。
呼制御手段１４Ａは、上記回線Ｉ／Ｆ部１１、親機Ｉ／Ｆ部１３およびスイッチ１２を制御することにより、無線子機３０に対する着信や無線子機３０からの発信など、一般的な呼制御を行う。システム制御手段１４Ｂは、電話装置間を移動する無線子機３０に関する制御を行う。
【００２４】
記憶部１５は、制御部１４で実行するプログラムのほか、制御部１４での制御に必要な各種情報を記憶する。この記憶部１５には、各種情報としては、当該電話システムを管理するためのシステム管理情報１５Ａや、当該電話装置に所属する各無線子機３０の制御に用いる端末管理情報１５Ｂが格納されている。
システム管理情報１５Ａには、システム共通ＩＤ、電話システムを構成する各電話装置１に予め割り当てられている装置ＩＤ、およびその装置ＩＤごとに接続回線５を介して当該電話装置と通信を行うために必要なアドレスなどの接続先情報が含まれている。また、端末管理情報１５Ｂには、自装置に所属する無線子機３０の端末ＩＤに関連付けて、当該無線子機３０で用いる短縮ダイヤルデータ、利用者名と相手先番号とが関連付けて登録されている電話帳データ、特定番号を含む相手先への発信規制データなどのデータが必要に応じて管理される。
【００２５】
次に、図３を参照して、本実施の形態にかかる電話システムの動作について説明する。図３は、本実施の形態にかかる電話システムの動作を示すシーケンス図であり、ここでは電話装置１Ａを所属電話装置とする無線子機３０が、電話装置１Ｃへ移動した場合を例として説明する。
電話装置１Ａの制御下にあった無線子機３０が電話装置１Ｃの無線通信エリアの圏内へ到達した場合、無線子機３０では、ボタン電話装置１Ｃからの当該ボタン電話装置１Ｃの装置ＩＤを含む報知信号を受信し（ステップ１００）、所属電話装置１Ａとは異なるボタン電話装置１Ｃの圏内に入ったことを確認し、位置登録が必要であると判断する。
【００２６】
そして、自装置内に予め登録されているシステム共通ＩＤ、所属ＩＤおよび端末ＩＤを参照し（ステップ１０１）、これらＩＤを含む位置登録要求をボタン電話装置１Ｃへ送信する（ステップ１０２）。
ボタン電話装置１Ｃの主装置１０では、無線子機３０からの位置登録要求を無線親機２０および親機Ｉ／Ｆ部１３を介してシステム制御手段１４Ｂで受信し、その位置登録要求に含まれるシステム共通ＩＤと記憶部１５のシステム管理情報１５Ａに含まれる自装置のシステム共通ＩＤとを比較する。そして、その一致に応じて当該無線子機３０が当該電話システムに属する無線子機であると判断し、当該無線子機３０へ認証要求を送信し（ステップ１０３）、これに対して無線子機３０から返送された認証応答に応じて（ステップ１０４）、無線子機３０に対する認証登録処理を終了する。
【００２７】
その後、システム制御手段１４Ｂでは、上記認証登録処理の後、当該無線子機３０の位置登録要求で得られた所属ＩＤに基づき、記憶部１５のシステム管理情報１５Ａから、その所属ＩＤに対応する所属電話装置１Ａの接続先情報を取得し、その接続先情報に基づき、回線Ｉ／Ｆ１１および接続回線５を介してその所属電話装置１Ａへ、当該無線子機３０の端末ＩＤを含む位置登録情報通知を送信する（ステップ１０５）。
所属電話装置１Ａの主装置１０では、移動先電話装置１Ｃからの位置登録情報通知を、回線Ｉ／Ｆ部１１を介してシステム制御手段１４Ｂで受信し、その位置登録情報通知に含まれる端末ＩＤに対応する端末情報を、記憶部１５の端末管理情報１５Ｂから取得し（ステップ１０６）、その端末情報を接続回線５を介して移動先電話装置１Ｃへ返送する（ステップ１０７）。
【００２８】
移動先電話装置１Ｃのシステム制御手段１４Ｂでは、このようにして当該無線子機３０の端末情報をその所属電話装置１Ａから取得し、その端末情報を記憶部１５の端末管理情報１５Ｂとして格納する（ステップ１０８）。
これにより、その後、無線子機３０から任意のサービス要求があった場合（ステップ１１０）、自装置の記憶部１５の端末管理情報１５Ｂに格納されているその無線子機３０に対応する端末情報を参照し（ステップ１１１）、そのサービス要求に応じたサービスを提供する（ステップ１１２）。また、必要に応じて要求されたサービスの提供可否をその端末情報に基づき判断し、提供可の場合のみサービスを提供する。
【００２９】
したがって、移動先電話装置１Ｃで短縮ダイヤルサービスを提供する場合には、当該無線子機３０の利用者が所属電話装置１Ａで使用していた短縮ダイヤルデータを端末情報として移動先電話装置１Ｃへ通知すればよい。これにより、所属電話装置１Ａで使用していた短縮番号を移動先電話装置１Ｃの制御下にある無線子機３０で操作入力することにより、その短縮番号に対応する相手先ダイヤル番号が移動先電話装置１Ｃから送出される。また、電話帳データも同様にして移動先電話装置１Ｃで利用できる。
また、移動先電話装置１Ｃで発信規制サービスを提供する場合には、当該無線子機３０の利用者が所属電話装置１Ａで受けていた発信規制のデータを端末情報として移動先電話装置１Ｃへ通知すればよい。これにより、所属電話装置１Ａの際と同様に移動先電話装置１Ｃの制御下にある無線子機３０に対しても発信規制サービスを提供できる。
【００３０】
このように、各電話装置１間を相互に接続する接続回線５を介して他の電話装置１との間で各種情報をやり取りするシステム制御手段１４Ｂを設け、このシステム制御手段１４Ｂで、無線回線３を介して接続されて自装置の制御下となった無線子機３０の所属電話装置１Ａから、その所属電話装置１Ａに蓄積されている当該無線子機３０に関する端末情報を取得するようにしたので、無線子機が移動して他の電話装置の制御下にある場合でも、所属電話装置から取得した当該無線子機の端末情報に基づき移動先電話装置で当該無線子機を制御でき、所属電話装置の制御下と同等のサービスを受けることができる。
【００３１】
次に、図４を参照して、本発明の第２の実施の形態にかかる電話システムの動作について説明する。図４は、本発明の第２の実施の形態にかかる電話システムの動作を示すシーケンス図である。なお、本実施の形態にかかる電話システムの構成は、前述した第１の実施の形態（図１）の構成と同じである。
前述した第１の実施の形態にかかる電話システムの動作（図３参照）では、無線子機３０に予め登録されている所属ＩＤに基づき、移動先電話装置１Ｃでその無線子機３０の所属電話装置１Ａを認識する場合について説明したが、本実施の形態では、無線子機３０に予め登録されている端末ＩＤを用いて当該電話システムの各電話装置へ問い合わせするようにしたものである。
【００３２】
以下では、図４を参照して、電話装置１Ａを所属電話装置とする無線子機３０が、電話装置１Ｃへ移動した場合を例として説明する。
電話装置１Ａの制御下にあった無線子機３０が電話装置１Ｃの無線通信エリアの圏内へ到達した場合、無線子機３０では、ボタン電話装置１Ｃからの当該ボタン電話装置１Ｃの装置ＩＤを含む報知信号を受信し（ステップ１２０）、所属電話装置１Ａとは異なるボタン電話装置１Ｃの圏内に入ったことを確認し、位置登録が必要であると判断する。
そして、自装置内に予め登録されている端末ＩＤを参照し（ステップ１２１）、その端末ＩＤを含む位置登録要求をボタン電話装置１Ｃへ送信する（ステップ１２２）。
【００３３】
ボタン電話装置１Ｃの主装置１０では、無線子機３０からの位置登録要求を無線親機２０および親機Ｉ／Ｆ部１３を介してシステム制御手段１４Ｂで受信し、その位置登録要求に含まれる端末ＩＤの端末情報が記憶部１５の端末管理情報１５Ｂに格納されているか検査する。そして、当該無線子機３０の端末情報が端末管理情報１５Ｂに格納されていない場合には、当該電話システムに属する各電話装置１Ａ，１Ｂ，…，１Ｎの接続先情報を記憶部１５のシステム管理情報１５Ａから取得し、その接続先情報に基づいて接続回線５を介して各電話装置へ、当該無線子機３０の端末ＩＤを含む位置登録情報通知を送信する（ステップ１２３）。
【００３４】
各電話装置１Ａ，１Ｂ，…，１Ｎの主装置１０では、移動先電話装置１Ｃからの位置登録情報通知を、回線Ｉ／Ｆ１１を介して制御部１４のシステム制御手段１４Ｂで受信し、その位置登録情報通知に含まれている端末ＩＤの端末情報を、それぞれの記憶部１５の端末管理情報１５Ｂから検索する。そして、その端末ＩＤに対応する無線子機が当該電話装置に所属しており、その端末情報が端末管理情報１５Ｂで見つかった場合にのみ、その端末情報を端末管理情報１５Ｂから取得し（ステップ１２４）、その端末情報を接続回線５を介して移動先電話装置１Ｃへ返送する（ステップ１２５）。
【００３５】
移動先電話装置１Ｃのシステム制御手段１４Ｂでは、このようにして当該無線子機３０の端末情報をその所属電話装置１Ａから取得する。そして、この端末情報の取得成功に応じて当該無線子機３０が当該電話システムに属する無線子機であると判断し、無線子機３０へ認証要求を送信し（ステップ１２６）、これに対して無線子機３０から返送された認証応答に応じて（ステップ１２７）、その端末情報を記憶部１５の端末管理情報１５Ｂとして格納し（ステップ１２８）、無線子機３０に対する認証登録処理を終了する。
これにより、その後、無線子機３０から任意のサービス要求があった場合には、図３のステップ１１０〜１１２と同様にして、要求されたサービスが提供される。また、必要に応じて要求されたサービスの提供可否をその端末情報に基づき判断し、提供可の場合のみサービスを提供する。
【００３６】
このように、無線子機３０に予め登録されている端末ＩＤを用いて当該電話システムの各電話装置へ問い合わせすることにより、当該無線子機３０の端末情報をその所属電話装置１Ａから取得するようにしたので、無線子機が移動して他の電話装置の制御下にある場合でも、所属電話装置から取得した当該無線子機の端末情報に基づき移動先電話装置で当該無線子機を制御でき、所属電話装置の制御下と同等のサービスを受けることができる。また、前述の第１の実施の形態と比較して、所属電話装置を特定するための所属ＩＤを無線子機に予め登録しておく必要がなくなり、無線子機３０および各電話装置１Ａ，１Ｂ，１Ｃ，…，１Ｎでの、所属ＩＤの登録に必要な作業負担を軽減でき、無線子機の所属を容易に変更できる。
【００３７】
また、当該無線子機３０の端末ＩＤに基づく所属電話装置１Ａからの端末情報の取得成功に応じて、当該無線子機３０が当該電話システムに属する無線子機であると判断するようにしたので、前述した第１の実施の形態のように、無線子機３０が当該電話システムに属する無線子機であることを判断するためのシステム共通ＩＤを用いる必要がなく、無線子機３０および各電話装置１Ａ，１Ｂ，１Ｃ，…，１Ｎでの、システム共通ＩＤの登録に必要な作業負担を軽減できるとともに、システム共通ＩＤを用いた判断処理を省くことができる。
【００３８】
次に、図５を参照して、本実施の形態にかかる電話システムの動作について説明する。図５は、本実施の形態にかかる電話システムの構成を示すブロック図である。
前述した第１および第２の実施の形態にかかる電話システム（図１参照）と比較して、本実施の形態では、接続回線５に情報蓄積装置６を設けて、各電話装置１Ａ，１Ｂ，１Ｃ，…，１Ｎからの端末情報を情報蓄積装置６で一元的に管理するようにしたものである。
この情報蓄積装置６については、ハードディスクなどの情報記憶装置を有するサーバ装置で構成してもよく、当該電話システムを構成する電話装置のいずれかで構成してもよい。
【００３９】
以下、図６を参照して、本実施の形態にかかる電話システムの動作について説明する。図６は本実施の形態にかかる電話システムの動作を示すシーケンス図であり、電話装置１Ａを所属電話装置とする無線子機３０が、電話装置１Ｃへ移動した場合を例として説明する。
各電話装置１Ａ，１Ｂ，１Ｃ，…，１Ｎの主装置１０では、制御部１４のシステム制御手段１４Ｂを用いて、当該電話装置に所属する無線子機３０の端末情報を記憶部１５の端末管理情報１５Ｂから取得し、回線Ｉ／Ｆ部１１および接続回線５を介して情報蓄積装置６へ送信する（ステップ１３０）。
【００４０】
これに応じて、情報蓄積装置６は、各電話装置１Ａ，１Ｂ，…，１Ｎからの端末情報を受信し、その端末情報に含まれている当該無線子機３０の端末ＩＤと対応付けて格納する（ステップ１３１）。
なお、各電話装置１Ａ，１Ｂ，１Ｃ，…，１Ｎから情報蓄積装置６へ端末情報を送信するタイミングについては、所定間隔で行うようにしてもよく、各電話装置１Ａ，１Ｂ，１Ｃ，…，１Ｎで自装置に所属する無線子機３０との通信不能が明らかになった時点、あるいは通信不能となった無線子機３０のみが呼び出し先となる個別着信サービスが発生した時点に送信するようにしてもよい。
【００４１】
その後、電話装置１Ａの制御下にあった無線子機３０が電話装置１Ｃの無線通信エリアの圏内へ到達した場合、無線子機３０では、ボタン電話装置１Ｃからの当該ボタン電話装置１Ｃの装置ＩＤを含む報知信号を受信し（ステップ１４０）、所属電話装置１Ａとは異なるボタン電話装置１Ｃの圏内に入ったことを確認し、位置登録が必要であると判断する。
そして、自装置内に予め登録されている端末ＩＤを参照し（ステップ１４１）、その端末ＩＤを含む位置登録要求をボタン電話装置１Ｃへ送信する（ステップ１４２）。
【００４２】
ボタン電話装置１Ｃの主装置１０では、無線子機３０からの位置登録要求を無線親機２０および親機Ｉ／Ｆ部１３を介してシステム制御手段１４Ｂで受信し、その位置登録要求に含まれる端末ＩＤの端末情報が記憶部１５の端末管理情報１５Ｂに格納されているか検査する。そして、当該無線子機３０の端末情報が端末管理情報１５Ｂに格納されていない場合には、予め記憶部１５のシステム管理情報１５Ａに格納されている情報蓄積装置６の接続先情報に基づいて、接続回線５を介して情報蓄積装置６へ、当該無線子機３０の端末ＩＤを含む位置登録情報通知を送信する（ステップ１４３）。
情報蓄積装置６では、移動先電話装置１Ｃからの位置登録情報通知に応じて、その位置登録情報通知に含まれている端末ＩＤの端末情報を取得し（ステップ１４４）、その端末情報を接続回線５を介して移動先電話装置１Ｃへ返送する（ステップ１４５）。
【００４３】
移動先電話装置１Ｃのシステム制御手段１４Ｂでは、このようにして当該無線子機３０の端末情報を情報蓄積装置６から取得する。そして、この端末情報の取得成功に応じて当該無線子機３０が当該電話システムに属する無線子機であると判断し、無線子機３０へ認証要求を送信し（ステップ１４６）、これに対して無線子機３０から返送された認証応答に応じて（ステップ１４７）、その端末情報を記憶部１５の端末管理情報１５Ｂとして格納し（ステップ１４８）、無線子機３０に対する認証登録処理を終了する。
これにより、その後、無線子機３０から任意のサービス要求があった場合には、図３のステップ１１０〜１１２と同様にして、要求されたサービスが提供される。また、必要に応じて要求されたサービスの提供可否をその端末情報に基づき判断し、提供可の場合のみサービスを提供する。
【００４４】
このように、接続回線５を介して各電話装置１Ａ，１Ｂ，１Ｃ，…，１Ｎと接続された情報蓄積装置６を設けて、各無線子機３０の端末情報をそれぞれの所属電話装置から情報蓄積装置６へ登録して一元管理し、必要に応じて移動先電話装置が情報蓄積装置から無線子機３０の端末情報を取得するようにしたので、無線子機が移動して他の電話装置の制御下にある場合でも、所属電話装置から取得した当該無線子機の端末情報に基づき移動先電話装置で当該無線子機を制御でき、所属電話装置の制御下と同等のサービスを受けることができる。
【００４５】
また、前述の第１の実施の形態と比較して、所属電話装置を特定するための所属ＩＤを無線子機に予め登録しておく必要がなくなり、無線子機３０および各電話装置１Ａ，１Ｂ，１Ｃ，…，１Ｎでの、所属ＩＤの登録に必要な作業負担を軽減でき、無線子機の所属を容易に変更できる。
さらには、第２の実施の形態のように各電話装置へ端末情報有無の問い合わせする必要もなくなり、不要な問い合わせを行うことなく容易に端末情報を取得できる。
【００４６】
また、当該無線子機３０の端末ＩＤに基づく情報蓄積装置６からの端末情報の取得成功に応じて、当該無線子機３０が当該電話システムに属する無線子機であると判断するようにしたので、前述した第１の実施の形態のように、無線子機３０が当該電話システムに属する無線子機であることを判断するためのシステム共通ＩＤを用いる必要がなく、無線子機３０および各電話装置１Ａ，１Ｂ，１Ｃ，…，１Ｎでの、システム共通ＩＤの登録に必要な作業負担を軽減できるとともに、システム共通ＩＤを用いた判断処理を省くことができる。
【００４７】
以上の各実施の形態では、無線子機３０が主装置１０に対し、無線親機２０を介して接続される構成を例として説明したが、これに限定されるものではない。
例えば、主装置１０に無線インターフェース部を設け、この無線インターフェース部を介して無線子機３０を主装置１０と接続する構成であっても、本発明の各実施の形態を前述と同様にして適用でき、同様の作用効果が得られる。
また以上では、各電話装置１が専用の主装置１０を有するボタン電話装置からなる場合を例として説明したが、これに限定されるものではない。例えばパケット通信用の回線Ｉ／Ｆ部１１と親機Ｉ／Ｆ部１３を有するコンピュータからなる電話制御装置を、主装置１０の代わりに用いることにより、パケット通信網からなる通信網４０を介して音声通話（ＶｏＩＰ）を行う電話装置１で、上記各実施の形態を実現してもよい。
【００４８】
なお、以上の各実施の形態では、接続回線５については、通信回線４および通信網４０とは独立したものを用いた場合を例として説明したが、この接続回線５として通信回線４および通信網４０を兼用してもよい。また、第２の実施の形態で用いる情報蓄積装置６についても、接続回線５として通信回線４および通信網４０を兼用する場合には、その通信網４０に情報蓄積装置６を接続すればよい。
【００４９】
【発明の効果】
以上説明したように、本発明は、各電話装置間を接続する接続回線を設けるとともに、各電話装置に、その接続回線を介して他の電話装置との間で各種情報をやり取りするシステム制御手段を設け、このシステム制御手段で、他の電話装置に所属する無線子機から、当該無線子機の所属電話装置を示す所属ＩＤと当該無線子機に固有の端末ＩＤとを取得し、その所属ＩＤに対応する所属電話装置へ接続回線を介して端末ＩＤを通知し、これに応じて所属電話装置から返送された当該無線子機の端末ＩＤに対応する端末情報を、接続回線を介して取得するようにしたので、無線子機が移動して他の電話装置の制御下にある場合でも、所属電話装置から取得した当該無線子機の端末情報に基づき移動先電話装置で当該無線子機を制御でき、所属電話装置の制御下と同等のサービスを受けることができる。
【００５０】
また、システム制御手段で、他の電話装置に所属する無線子機から当該無線子機に固有の端末ＩＤを取得し、接続回線を介して他の電話装置のそれぞれへ端末ＩＤを通知し、これに応じて無線子機の所属電話装置から返送された当該無線子機の端末ＩＤに対応する端末情報を、接続回線を介して取得するようにしたので、無線子機が移動して他の電話装置の制御下にある場合でも、所属電話装置から取得した当該無線子機の端末情報に基づき移動先電話装置で当該無線子機を制御でき、所属電話装置の制御下と同等のサービスを受けることができる。また、所属電話装置を特定するための所属ＩＤを無線子機に予め登録しておく必要がなくなり、無線子機および各電話装置での、所属ＩＤの登録に必要な作業負担を軽減でき、無線子機の所属を容易に変更できる。
【００５１】
また、接続回線を介して各電話装置と接続されて、各電話装置間でやり取りする各種情報を蓄積する情報蓄積装置とを設けるとともに、各電話装置に、接続回線により各電話装置と接続された情報蓄積装置を介して他の電話装置との間で各種情報をやり取りするシステム制御手段を設け、このシステム制御手段で、他の電話装置に所属する無線子機から当該無線子機に固有の端末ＩＤを取得し、無線子機が所属する所属電話制御装置により情報蓄積装置へ端末ＩＤに対応付けて登録されている端末情報を、情報蓄積装置から接続回線を介して取得するようにしたので、無線子機が移動して他の電話装置の制御下にある場合でも、所属電話装置から取得した当該無線子機の端末情報に基づき移動先電話装置で当該無線子機を制御でき、所属電話装置の制御下と同等のサービスを受けることができる。また、所属電話装置を特定するための所属ＩＤを無線子機に予め登録しておく必要がなくなり、無線子機および各電話装置での、所属ＩＤの登録に必要な作業負担を軽減でき、無線子機の所属を容易に変更できる。さらに、各電話装置へ端末情報有無の問い合わせする必要もなくなり、不要な問い合わせを行うことなく容易に端末情報を取得できる。
【図面の簡単な説明】
【図１】本発明の第１の実施の形態にかかる電話システムの構成を示すブロック図である。
【図２】主装置の構成を示すブロック図である。
【図３】本発明の第１の実施の形態にかかる電話システムの動作を示すシーケンス図である。
【図４】本発明の第１の実施の形態にかかる電話システムの動作を示すシーケンス図である。
【図５】本発明の第２の実施の形態にかかる電話システムの構成を示すブロック図である。
【図６】本発明の第２の実施の形態にかかる電話システムの動作を示すシーケンス図である。
【符号の説明】
１，１Ａ，１Ｂ，１Ｃ，〜，１Ｎ…電話装置、２…内線伝送路、３…無線回線、４…通信回線、５…接続回線、６…情報蓄積装置、１０…主装置、１１…回線インターフェース部（回線Ｉ／Ｆ部）、１２…スイッチ、１３…親機インターフェース部（親機Ｉ／Ｆ部）、１４…制御部、１４Ａ…呼制御手段、１４Ｂ…システム制御手段、１５…記憶部、１５Ａ…システム管理情報、１５Ｂ…端末管理情報、２０…無線親機、３０…無線子機、４０…通信網。
【図１】
2004096211.tif 000003
【図２】
2004096211.tif 000004
【図３】
2004096211.tif 000005
【図４】
2004096211.tif 000006
【図５】
2004096211.tif 000007
【図６】
2004096211.tif 000008